【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
トランシーバを共有する複数の加入者識別モジュール(SIM)を有する通信デバイスを管理する方法であって、
前記トランシーバを通じて、前記通信デバイスの第1のSIMに関連付けられる第1のネットワークサブスクリプションからボイスコールを受信するステップであって、前記ボイスコールが、前記通信デバイスの第2のSIMに関連付けられる第2のネットワークサブスクリプションを用いる前記トランシーバを通じたアクティブデータサービスセッションを中断するステップと、
前記第1のネットワークサブスクリプションを用いて前記トランシーバ上で前記ボイスコールについてのアクティブボイス通信接続を確立するステップと、
前記第1のネットワークサブスクリプションを用いる前記ボイスコールについての前記アクティブボイス通信接続を維持しながら、前記第1のネットワークサブスクリプションを用いて前記トランシーバを通じて前記アクティブデータサービスセッションを再確立するステップと
を含む方法。
【請求項２】
前記第1のネットワークサブスクリプションを用いて前記トランシーバを通じて前記アクティブデータサービスセッションを再確立する前記ステップが、前記ボイスコールが受信されるときに前記第2のSIMに関連付けられる前記第2のネットワークサブスクリプションを用いて前記トランシーバを通じて通信されているデータのセグメントの通信が、前記第1のSIMに関連付けられる前記第1のネットワークサブスクリプションを用いて前記トランシーバを通じて完了するように実施される請求項1に記載の方法。
【請求項３】
前記ボイスコールを受信したことに応答して、前記アクティブデータサービスセッションを維持することを前記通信デバイスのユーザが望むかどうかに関して、前記ユーザに促すステップと、
前記ユーザに促したことに応答して、ユーザ入力から導出されたデータサービスサブスクリプション切換え許可を受信するステップであって、前記データサービスサブスクリプション切換え許可が、前記アクティブボイス通信接続を維持しながら、前記第1のネットワークサブスクリプションを用いて再確立されている前記アクティブデータサービスセッションを開始するステップと
をさらに含む請求項1に記載の方法。
【請求項４】
前記ボイスコールの終了時に、前記第1のネットワークサブスクリプションを用いて前記トランシーバを使用して前記アクティブデータサービスセッションを維持するステップをさらに含む請求項1に記載の方法。
【請求項５】
前記アクティブボイス通信接続を確立する直前に、前記第1のネットワークサブスクリプションが、ボイスサービス通信のみを受信するように構成される請求項1に記載の方法。
【請求項６】
前記第1のネットワークサブスクリプションを用いる前記ボイスコールについての前記アクティブボイス通信接続を維持しながら、前記第1のネットワークサブスクリプションを用いて前記トランシーバを通じて前記アクティブデータサービスセッションを再確立する前記ステップが、前記第1のネットワークサブスクリプションをボイスサービスからデータサービスとボイスサービスの両方に再構成するステップを含む請求項1に記載の方法。
【請求項７】
第1のSIMと、
第2のSIMとを備える通信デバイスであって、
前記第1のSIMおよび前記第2のSIMがトランシーバを共有し、
前記通信デバイスは、
通信デバイスの前記第1のSIMに関連付けられる第1のネットワークサブスクリプションからボイスコールを、前記トランシーバを通じて受信するための手段であって、前記ボイスコールが、前記通信デバイスの前記第2のSIMに関連付けられる第2のネットワークサブスクリプションを用いるアクティブデータサービスセッションを中断する、手段と、
前記第1のネットワークサブスクリプションを用いて前記トランシーバ上で前記ボイスコールについてのアクティブボイス通信接続を確立するための手段と、
前記第1のネットワークサブスクリプションを用いる前記ボイスコールについての前記アクティブボイス通信接続を維持しながら、前記第1のネットワークサブスクリプションを用いて、前記トランシーバを通じて前記アクティブデータサービスセッションを再確立するための手段と
を備える通信デバイス。
【請求項８】
前記第1のネットワークサブスクリプションを用いて前記アクティブデータサービスセッションを再確立するための手段が、前記ボイスコールが受信されるときに前記第2のSIMに関連付けられる前記第2のネットワークサブスクリプションを用いて通信されるデータのセグメントの通信が、前記第1のSIMに関連付けられる前記第1のネットワークサブスクリプションを用いて完了するように実施されるように、前記第1のネットワークサブスクリプションを用いて前記アクティブデータサービスセッションを再確立するための手段を備える請求項7に記載の通信デバイス。
【請求項９】
前記ボイスコールを受信したことに応答して、前記アクティブデータサービスセッションを維持することを前記通信デバイスのユーザが望むかどうかに関して、前記ユーザに促すための手段と、
前記ユーザに促したことに応答して、ユーザ入力から導出されたデータサービスサブスクリプション切換え許可を受信するための手段であって、前記データサービスサブスクリプション切換え許可が、前記アクティブボイス通信接続を維持しながら、前記第1のネットワークサブスクリプションを用いて再確立される前記アクティブデータサービスセッションを開始する、手段と
をさらに備える請求項7に記載の通信デバイス。
【請求項１０】
前記ボイスコールの終了時に、前記第1のネットワークサブスクリプションを用いて前記アクティブデータサービスセッションを維持するための手段をさらに備える請求項7に記載の通信デバイス。
【請求項１１】
前記アクティブボイス通信接続を確立する直前に、前記第1のネットワークサブスクリプションが、ボイスサービス通信のみを受信するように構成される請求項7に記載の通信デバイス。
【請求項１２】
前記第1のネットワークサブスクリプションを用いる前記ボイスコールについての前記アクティブボイス通信接続を維持しながら、前記第1のネットワークサブスクリプションを用いて前記アクティブデータサービスセッションを再確立するための手段が、前記第1のネットワークサブスクリプションをボイスサービスからデータサービスとボイスサービスの両方に再構成するための手段を備える請求項7に記載の通信デバイス。
【請求項１３】
通信デバイスの前記第1のSIMに関連付けられる第1のネットワークサブスクリプションからボイスコールを受信するための手段であって、前記ボイスコールが、前記通信デバイスの前記第2のSIMに関連付けられる第2のネットワークサブスクリプションを用いるアクティブデータサービスセッションを中断する、手段と、
前記第1のネットワークサブスクリプションを用いて前記ボイスコールについてのアクティブボイス通信接続を確立するための手段と、
前記第1のネットワークサブスクリプションを用いる前記ボイスコールについての前記アクティブボイス通信接続を維持しながら、前記第1のネットワークサブスクリプションを用いて前記アクティブデータサービスセッションを再確立するための手段とが、前記第1のSIMおよび前記第2のSIMに結合されたプロセッサ実行可能命令を用いて構成されるプロセッサである請求項7に記載の通信デバイス。
【請求項１４】
前記プロセッサが、前記第1のネットワークサブスクリプションを用いて前記トランシーバを通じて前記アクティブデータサービスセッションを再確立することが、前記ボイスコールが受信されるときに前記第2のSIMに関連付けられる前記第2のネットワークサブスクリプションを用いて通信される前記トランシーバを通じて通信されるデータのセグメントの通信が、前記第1のSIMに関連付けられる前記第1のネットワークサブスクリプションを用いて前記トランシーバを通じて完了するように実施される動作を実行するためのプロセッサ実行可能命令を用いて構成される請求項13に記載の通信デバイス。
【請求項１５】
請求項１から６のいずれか一項に記載の方法を実行するように構成されたプロセッサ実行可能命令が記憶された非一時的プロセッサ可読記憶媒体。